(57)【要約】【課題】糸屑が極力少なくなるような柄用経糸の製造方法等を提供することも目的とする。【解決手段】  回転する回転式クリール（７）から複数本の糸（２１、２１' ）が引き出され、整経ドラム（１）の周面の周りに案内され、整経ドラムの周面で整経ドラム（１）の軸線と平行に移動可能な搬送面装置（２）上に給糸され、一時的に必要とされない糸（２１' ）が整経過程から除外され、その再使用に至るまでの間、整経ドラム（１）の軸線領域にある補助搬送装置（２４）に巻き付けられ、且つこの補助搬送装置で回転式クリール（７）から離れる方向に搬送される。補助搬送装置（２４）が少なくとも一時的に搬送面装置（２）よりも迅速に移動する工程を有する。【選択図】図１
2004346477.tif 000002
【特許請求の範囲】
【請求項１】
回転する回転式クリールから複数本の糸が引き出され、整経ドラムの周面の周りに案内され、且つ、整経ドラムの周面で整経ドラムの軸線と平行に移動可能な搬送面装置上に給糸され、一時的に必要とされない糸が整経過程から除外され、その除外された糸が再使用されるまでの間、整経ドラムの軸線領域にある補助搬送装置に巻き付けられ、且つこの補助搬送装置で回転式クリールから離れる方向に搬送される工程を有する、柄用経糸を製造するための方法において、
前記補助搬送装置が、少なくとも一時的に搬送面装置よりも迅速に移動することを特徴とする方法。
【請求項２】
前記整経過程から除外される糸に依存して、前記補助搬送装置の速度が選択もしくは変更されることを特徴とする請求項１記載の方法。
【請求項３】
前記補助搬送装置に巻き付けられる糸が、それが補助搬送装置に巻き取られる位置から所定の長さをおいて切断されることを特徴とする請求項１又は２記載の方法。
【請求項４】
駆動される切断装置が、前記切断をおこなうことを特徴とする請求項３記載の方法。
【請求項５】
前記補助搬送装置に巻き取られる糸は、整経ドラムの周方向で整経ドラム正面壁の半径方向に延びる開口部の境界によって限定される領域で、切断されることを特徴とする請求項３又は４記載の方法。
【請求項６】
軸線方向に移動可能な搬送面装置を周面に有する整経ドラムと、前記整経ドラムの周面の周りを移動可能な複数の糸ガイドと、糸ガイドと同期して移動可能な回転式クリールと、前記整経ドラムの軸線の領域に配置される補助搬送装置とを有し、各糸ガイドが糸誘導装置を有し、この糸誘導装置が少なくとも１つの積極的な動作位置で１本の糸を搬送面装置上に給糸し且つ１つの消極的な動作位置でこの糸を補助搬送装置の周りに巻き付ける、柄経糸用の部分整経機において、
前記補助搬送装置（２４）が、少なくとも一時的に搬送面装置（２）よりも迅速に移動することを特徴とする部分整経機。
【請求項７】
前記補助搬送装置（２４）の駆動装置が、速度変更可能であることを特徴とする請求項６記載の部分整経機。
【請求項８】
前記部分整経機に制御装置（２０）が設けられており、この制御装置（２０）が糸誘導装置を制御し、且つ、その消極的な位置（ｃ）に移動した糸誘導装置に依存して補助搬送装置（２４）の速度を制御することを特徴とする請求項６又は７記載の部分整経機。
【請求項９】
糸ガイド（１４）から所定の距離を置いて切断装置（３３）が整経ドラム（１）の周面と補助搬送装置（２４）との間に配置されていることを特徴とする請求項６〜８のいずれか１の項に記載の部分整経機。
【請求項１０】
前記切断装置（３３）が少なくとも１つの駆動される切断要素を有することを特徴とする請求項９記載の部分整経機。
【請求項１１】
整経ドラム（１）が、半径方向に開口した開口部（３０）を備えて回転式クリール（７）に向き合う正面壁（２９）を有し、前記切断装置（３３）が周方向において開口部（３０）の縁から内方へ入り込んだ位置に配置されていることを特徴とする請求項９又は１０記載の部分整経機。
【発明の詳細な説明】
【技術分野】
【０００１】
本発明は、回転する回転式クリールから複数本の糸が引き出され、整経ドラムの周面の周りに案内され、且つ、整経ドラムの周面で整経ドラムの軸線と平行に移動可能な搬送面装置上に給糸され、一時的に必要とされない糸が整経過程から除外され、その糸が再使用されるまでの間、整経ドラムの軸線領域にある補助搬送装置に巻き付けられ、且つこの補助搬送装置で回転式クリールから離れる方向に搬送される、柄用経糸を製造するための方法に関する。さらに本発明は、軸線方向に移動可能な搬送面装置を周面に有する整経ドラムと、整経ドラムの周面の周りを移動可能な複数の糸ガイドと、糸ガイドと同期して移動可能な回転式クリールと、整経ドラムの軸線領域に配置される補助搬送装置とを有し、各糸ガイドが糸誘導装置を有し、この糸誘導装置が少なくとも１つの積極的な動作位置で１本の糸を搬送面装置上に給糸しかつ１つの消極的な動作位置でこの糸を補助搬送装置の周りに巻き付ける、柄経糸用部分整経機に関する。
【背景技術】
【０００２】
前記柄用経糸を製造する方法および前記柄経糸用部分整経機は特許文献１により公知である（特許文献１参照）。前記柄経糸用の部分整経機は、生産速度が比較的大きいという利点を有する。つまり、同時に複数本の糸、最大で回転式クリール内に配置されているボビン数と同じ本数の糸を、整経ドラムの周りに案内することができる。柄用経糸内の糸で実際の柄にとってある糸が必要とされない場合、この必要とされない糸は、整経ドラムの周面の周りに案内されるのでなく、補助搬送装置の周りに巻き付けられる。このようにすることによって、柄用経糸中に各種の異なる柄を生成することが比較的自由に実施できる。
【０００３】
一時的に整経過程に関与していない糸の消費（無駄）を極力小さく抑えるために、極力小さな直径の補助搬送装置が利用される。一般に、糸ガイドが回転するたびに、補助搬送装置の周面に一致した長さの糸屑（屑）が発生する。例えば、補助搬送装置として直径１ｍｍのワイヤを使用すると、回転のたびに発生する屑は３．１４ｍｍ長となり、この長さは十分に受入れ可能な長さである。
【０００４】
しかし、僅かな本数の糸のみが整経過程に関与し、それ以外のかなり多くの糸が補助搬送装置の周りに巻き付けられる状況もあり得る。理論上、この補助搬送装置の直径は巻層が増すごとに糸径の２倍ずつ大きくなる。従って、整経過程に関与しない糸が多数になるとそれに伴って前記屑が非常に増大することになる。この問題は、柄用経糸が長くなると看過できない問題となる。例えば、長さ７００ｍの柄用経糸を整経したいとき、整経ドラムの円周が７ｍであると１００回転が必要である。その際、付加的措置なしでは１００ｍを超える長さの屑が発生することが十分にあり、このような状況はもはや看過することができない。
【特許文献１】独国特許発明第１００６１４９０号明細書。
【発明の開示】
【発明が解決しようとする課題】
【０００５】
本発明の課題は、糸屑を極力少なくなるように抑えることができる柄用経糸を製造する方法と柄用経糸用の部分整経機を提供することである。
【課題を解決するための手段】
【０００６】
前記課題は、冒頭に述べた柄用経糸を製造する方法において、補助搬送装置が少なくとも一時的に搬送面装置よりも迅速に移動されることによって解決される。
【発明の効果】
【０００７】
このような構成によって、補助搬送装置の周りに巻き付けられる糸のために常に十分なスペースを用意することが可能となる。つまり、直径の増大が限界内に抑えられる。補助装置の直径が例えば１ｍｍから２、３または５ｍｍに増大するように幾つかの糸を重ねて巻き付けることが確かに許容できる。しかし、補助搬送装置が搬送面装置よりも迅速に移動し、こうして整経過程から除外される糸のために十分なスペースが用意されるので、直径の増大が避けられる。補助搬送装置の直径が例えば１ｍｍ、経糸長が７００ｍの場合、整経過程に関与しない糸で発生する屑は約３．２ｍとなり、つまり十分に甘受可能な範囲となる。
【発明を実施するための最良の形態】
【０００８】
好ましくは、整経過程から除外される糸に依存して、補助搬送装置の速度は選択もしくは変更されるように構成することである。つまり、糸を並べて又は僅かな糸の重なりで補助搬送装置上に給糸できるのに必要なスペースを、事前に計算することができる。１リピート内のサンプリングは既知であるので、整経過程に関与しない糸のために平均してどれだけのスペースが必要かを、予め問題なく算出することができる。この必要なスペースは補助搬送装置を適宜な速度で移動させることによって得ることができる。外されることによって柄の１部分となる多くの糸が整経過程から除外され、整経ドラムの周面の周りに案内されるのでなく、補助搬送装置の周りに巻き付けられる場合、それ相応に多くのスペースが必要となる。つまり、このように多くの糸が整経課程から除外されるような柄用経糸を製造するときには、補助搬送装置の速度は高められる。それに対して１本の糸のみが整経過程から除外されるときには、補助搬送装置の速度はそれ相応に小さく選択することができる。
【０００９】
好ましくは、補助搬送装置に巻き付けられた糸は、それが補助搬送装置に巻き取られる位置から所定の距離（長さ）を置いて切断されるようにすることである。なぜなら、搬送面装置と補助搬送装置との間の非同期的な移動（動作）に起因して、補助搬送装置に巻き取られる糸に張力が発生するためである。そして、この張力は、制御不能な糸切れを生じるほどに大きくなることがある。切れる前に張力は少なくとも部分的に、整経ドラムの周面に既に巻き取られた糸に伝達されることもある。このよう状況は、後工程の整経ドラムから柄用経糸を繰り出すときに不都合な影響を及ぼすことがある。このような張力を発生させないために、前述のように糸は切断されることが望ましい。
【００１０】
前述のように切断する場合、駆動される切断装置を該切断に用いるのが好ましい。駆動される切断装置は少なくとも１つの駆動される切断要素を有する。この切断要素は、例えば、電気機械式はさみとすることができる。駆動される切断装置によって、糸の張力は小さく抑えられる。すなわち、危険な張力が増成される前に糸を切断できる。このように糸が切断されることによって、２つの切り離された糸端が生じる。補助搬送装置側に結び付けられた第１の糸端は整経ドラムの中央に緩く落ち、そこで補助搬送装置によってさらに搬送される。糸は十分な巻層数で補助搬送装置の周りに巻き付けられているので、搬送される糸はこの補助搬送装置において十分に固定されている。前記切断された第２の糸端は、整経ドラムの周面へと延び、搬送面装置上に形成される糸層によって固定される。切り離された糸長は整経ドラムの内部に垂れ下がるが、しかしそこで邪魔にはならない。繰出し時または巻返し時にも、常に経糸長の初端もしくは終端でのみ糸が切断されるので、切り離された糸端は邪魔にならない。
【００１１】
好ましくは、補助搬送装置に巻き取られた糸が、整経ドラムの周方向で整経ドラム正面壁の半径方向に延びる開口部の境界によって限定された領域で切断されるようにすることである。整経過程から除外される糸は、整経ドラム正面の前を動かされ、そこで整経ドラムの周面に載置されるのでなく、そこにある搬送面装置上に載置される。正面壁の半径方向に延設された開口部でもって、補助搬送装置に巻き取られるすべての糸が同じ向きになるような状態が生じる。これらの糸は、次に、補助搬送装置の移動時に、整経ドラム正面壁の半径方向に延びる開口部を通じて搬送される。この場合、同時に、糸を切断できる定義された位置が得られる。
【００１２】
また、前記課題は、冒頭に述べた種類の柄経糸用部分整経機において、補助搬送装置が少なくとも一時的に搬送面装置よりも迅速に移動することによって解決される。
【００１３】
前記製造方法に関連して上述したように、整経過程から除外される糸用に補助搬送装置上に十分なスペースを持続的に得ることが、こうして可能となり、巻き取られる糸によって補助搬送装置の直径が増大することはない。これにより、整経過程に関与しない糸の屑長は比較的小さく抑えることができる。
【００１４】
好ましくは、補助搬送装置の駆動装置の速度が、変更可能に構成されていることである。こうして、補助搬送装置の速度を、所要のスペースに適合させることができる。この適合は、整経課題（整経対象）の切換え時に、つまり柄経糸用部分整経機で新しい柄を整経したいときに、行うことができる。しかし、速度の切換えは、柄用経糸の製造中にも実行できる。その場合、補助搬送装置は、整経過程から多くの糸が除外されるときに一層迅速に移動され、少ない糸または１本だけの糸が整経過程から除外されるときには一層ゆっくりと移動される。
【００１５】
好ましくは、制御装置が設けられており、この制御装置は糸誘導装置を制御し、且つ、その消極的な位置に移動した糸誘導装置に依存して、補助搬送装置の速度を制御する。制御装置は、整経過程からいかなる糸が除外されて、従って整経ドラムの周面に給糸されるのでなく、補助搬送装置の周りに巻き付けられなければならないことを「既知のデータ」として予め保有できる。整経過程からいかなる糸が除外され補助搬送装置の周りに巻き付けられるのかは、その消極的な位置に走行した糸誘導装置を計数することによって簡単に算出することができる。従って、制御装置は、消極的（ネガティーブ）な位置にある糸誘導装置の数に依存して、補助搬送装置の速度を制御すればよい。
【００１６】
好ましくは、糸ガイドから所定の距離を置いて整経ドラムの周面と補助搬送装置との間に切断装置は配置されているように構成することである。例えば、切断装置を、整経ドラムの正面から約３０ｃｍ離れた距離に配置しておくことができる。整経ドラムの周面で糸が給糸される搬送面装置、例えば搬送ベルトよりも、補助搬送装置が迅速に移動するとき、糸の長さが増大しようとするので、補助搬送装置の周りに巻き付けられる糸に張力が発生する。この張力は、上で述べたように制御不能な糸切れをもたらすことがある。この糸切れは切断装置で、詳細には過度に大きな張力がまだ増成されない領域で、切断することによって、未然に防止される。切断装置は、例えば、補助搬送装置と整経ドラム周面との間で、糸の長さが４〜５％増大する個所に配置される。この程度の増大では、大抵の場合、許容される糸張力をまだ超えるものではない。
【００１７】
好ましくは、切断装置が少なくとも１つの駆動される切断要素を有するように構成することである。つまり、糸は最終的に切れるであろう切刃を介して引っ張られるだけでなく、糸は実際に切断されるように構成することである。このため、例えば、電気機械式はさみ（ここでは、例えば、電気による駆動力で機械的に切刃で挟んであるいは回転刃で切断する等のはさみをいう）を利用することができる。搬送装置周面から整経ドラム周面に至る糸道でも補助搬送装置から整経ドラム周面に至る糸道でも糸を切断したい場合、２つの駆動される切断要素、例えば２つの電気機械式はさみを利用することができる。
【００１８】
好ましくは、整経ドラムが、半径方向に延設されている開口部を備え回転式クリールに向き合う正面壁を有するとともに、前記切断装置が、周方向で開口部の縁の内方の位置に配置されているように構成することである。開口部の縁は、整経ドラム周面から補助搬送装置およびその逆へと糸が走る領域を、画定する。糸と整経ドラム正面との衝突を避けるために、当然に開口部の縁と糸との間に一定の距離が設けられる。しかし、糸がこの領域内で緊張していることによって、切断装置用に限定的なスペースを設けることができる。
【実施例１】
【００１９】
以下、本発明にかかる好ましい実施例を図面に基づいて説明する。
【００２０】
本柄経糸用部分整経機は、整経ドラム１を有し、整経ドラム１の周面に軸線に平行に搬送装置面たる搬送ベルト２が配置されている。この搬送ベルト２は、その外側表面が矢印３で示す方向に移動可能になっている。さらに、前記整経ドラム１に、軸線に平行にデバイディングロッド４、５、６が配置されており、そのうちデバイディングロッド４は切断ロッドとして、デバイディングロッド５はリーズロッドとして、それぞれ利用することができる。デバイディングロッド６は選択可能な異なる機能に利用できる。
【００２１】
整経ドラム１の正面の前に、回転式クリール７が配置されている。この回転式クリール７が回転体８を有し、この回転体８は、多数のボビン９を担持し、且つ、モータ１０によって、ベルト伝動装置１１および中空軸１２を介して、駆動される。この回転式クリール７は多数のボビンを、例えば１６個のボビンを受容できる。
【００２２】
前記回転式クリール７は、中空軸１３を介して支持体１５と連結されており、この支持体１５は糸ガイド１４を担持している。そのため、糸ガイド１４は回転式クリール７と同期して回転する。前記支持体１５は、ハブ１６内で保持され半径方向に延びる複数のアーム１７を有し、この半径方向に延びる複数のアーム１７の外端には、それぞれレバー１８が軸支されている。これらのレバー１８は、それぞれステッピングモータ１９によって揺動することができるように構成されている。これらのステッピングモータ１９は、図１に略示した制御装置２０によって制御される。この制御装置２０は、前記の全てのステッピングモータ１９に共通する制御装置として設けられている。この制御装置２０はステッピングモータ１９から一定の空間（距離）を隔てて、何ら問題なく配置しておくことができる。このことから、図３では、制御装置２０とステッピングモータ１９との間の制御のための接続ラインを、破線で示している（図３参照）。
【００２３】
図１と図３から概略視認できるように、前記糸ガイド１４は糸誘導装置を有し、この糸誘導装置は、整経ドラム１に対して異なる位置または動作位置を占めることができ、それらの位置のうち図１の下端部には３つの位置が示してある。整経過程時に積極的（アクティーブ）な動作位置ａ、ｂにおいて糸ガイド１４（の糸誘導装置）は糸２１を回転式クリール７から引き出して該糸２１を搬送ベルト２上に給糸し、こうして単数または複数の整経糸層２２が形成される。これらの整経糸層２２は、単に「糸層」とも称する。この両方の積極的な動作位置ａ、ｂの間で、図示しない多数の中間位置を占めることが可能である。
【００２４】
消極的（ネガティーブ）な動作位置ｃにおいては、糸ガイド１４（の糸誘導装置）は整経過程時に整経過程に関与しておらず、糸ガイド１４（の糸誘導装置）は、整経過程に必要とされない糸２１' を、搬送ベルト２と糸ガイド１４の支持体１５との間の空隙２３内に導き、こうしてこの糸２１' は整経過程に関与しない。
【００２５】
前記整経ドラム１の軸線に沿って、補助搬送装置２４がワイヤ状モノフィラメントプラスチック糸の態様で延びており、このプラスチック糸は中空軸１２、１３内を挿通されて回転式クリール７の整経ドラム１側から離れた側の貯蔵ロール２５と、整経ドラム１の回転式クリール７側から離れた側の末端の引張駆動装置２６との間を延びている。この補助搬送装置２４は、糸ガイド１４によって消極的な動作位置ｃで空隙２３内に誘導された必要とされない糸２１' のための巻心として機能する。そのため、必要とされない糸２１' は、補助搬送装置２４上に糸層２７を形成する。前記引張駆動装置２６は、補助搬送装置２４を、整経ドラム１の回転式クリール７側から離れた側の末端の方向へ移動させる。そのため、個々の糸層２７は引張駆動装置２６へと達し、その近傍（図１では下方近傍）の屑容器２８内に集めることができる。
【００２６】
前記糸ガイド１４を、消極的な動作位置ｃへと単純に変位させることによって、糸２１は、必要とされない糸２１' として整経過程から除外される。糸ガイド１４を、積極的な動作位置ａ又は積極的な動作位置ｂあるいはそれらの間へと変位させることによって、整経過程は再び開始される。ところで、補助搬送装置２４と整経ドラム１の周面との間を延びる糸２１' が、補助搬送装置２４の軸線方向への移動を邪魔することがないように、図２に示すように、整経ドラム１の正面２９において、半径方向に延設された開口部３０を有し、この開口部３０の境界は、距離（空間）を置いて補助搬送装置２４の周囲を取り囲む。この開口部３０は、正面２９の壁の周囲に１つの開口端３１を有し、この開口端３１は、切断ロッド４と、糸ガイド１４の支持体１５の回転方向３２で該切断ロッド４に続くリーズロッド５との間の、空間を、橋絡している。
【００２７】
糸層２７による屑（糸屑）が微量の状態で留まるように、前記補助搬送装置（ワイヤ状モノフィラメントプラスチック糸）２４は極力小さな直径を有するべきである。このように、ワイヤを使用することによって補助搬送装置２４の直径は例えば１ｍｍにすることができる。
【００２８】
前記回転式クリール７に全てのボビンを装着すると、１６本までの糸を同時に搬送ベルト２上に給糸することができる。１本または２本の糸２１' のみが整経過程から除外される限り、糸層２７によって形成される屑は微量な状態のままである。しかし、付加的な措置なしでは、整経過程から除外される糸２１' の数が増すに従って屑は増加することになる。つまり、糸ガイド１４が回転するたびに、補助搬送装置２４の直径は、搬送装置２４上に形成される糸層によって糸太さの２倍だけ、増加することになる。つまり、補助搬送装置２４がほぼ搬送ベルト２の速度で移動するだけの場合、糸層２７によって形成される屑は増加する。
【００２９】
このため、補助搬送装置２４の移動速度を高める。かかる場合、補助搬送装置２４は搬送ベルト２よりも迅速に走行して、いずれにしても補助搬送装置２４が搬送ベルト２よりも遅く走行するのでなく、糸２１' を巻き取ることができるようにするために、補助搬送装置２４の周面に常に十分なスペースが設けられている。その際、若干本数の糸２１' を重ねて巻き付けることは十分に許容される。しかし、以下に述べるような構成によって、各糸２１' を補助搬送装置２４上に直接巻き付けるようにすることが優先されるべきである。
【００３０】
補助搬送装置２４の速度制御は、既に述べた制御装置２０を介して行われる。つまり、制御装置２０は、何本の糸が整経過程から除外されるのか、従って、補助搬送装置２４上の糸を受容するのにどれだけのスペースが必要であるのかを、「既知のデータ」として有する。従って、制御装置２０は、引張駆動装置２６の速度を適宜に制御することができる。
【００３１】
１つの選択な案としては、１つの柄の１リピート内において、整経過程から除外される糸２１' の平均本数を事前に算出し、糸に所要のスペースを与えるのに補助搬送装置２４の速度が平均して十分であるように引張駆動装置２６を設定する。最後に、整経過程から除外される糸２１' が最大本数のときに、十分なスペースが用意されるべく決定される最大値に対応させて、補助搬送装置２４の速度を設定する。
【００３２】
しかしながら、その際に他の問題が生じる。つまり、補助搬送装置２４が搬送ベルト２よりも迅速に移動する場合、図１に略示しているような状況が生じる。すなわち、この図１には複数本の糸２１ａ' 、２１ｂ' 、２１ｃ' が示してあるが、これらの糸２１ａ' 、２１ｂ' 、２１ｃ' は、補助搬送装置２４の周りに巻き付けられている末端が、搬送ベルト２上で糸層２２によって固定された末端よりも、迅速に移動するので、ますます「斜め」になる。これにより、糸２１ａ' 、２１ｂ' 、２１ｃ' が橋絡しなければならない長さが増大する。このように１本の糸が糸の自然長より長くなろうとすると、糸に張力が生じる。このように発生する張力は、糸２１ｃ' に制御不能な糸切れを生じさせる。
【００３３】
そのために、許容外の張力が生じる前に、糸２１ｃ' を切断する切断装置３３が配置される。この切断装置３３は、図１において「はさみ」の形状で表されている。つまり、これは積極的な切断装置、つまり、少なくとも１つの駆動される要素、例えば１つの電気機械式「はさみ」を有する切断装置である。回転する刃またはこれに類似するものも当然に考えられる。
【００３４】
図２から視認することができるように、この実施例では、２つの切断装置３３が設けられており、しかもこのうち一方は、整経ドラム１の周面から補助搬送装置２４へと走る糸用に、もう１つの切断装置３３は、補助搬送装置２４から整経ドラム１の周面へと走る糸用に設けられている。
【００３５】
切断後には、図１に示すように、切断された糸に２つの糸端３４、３５が発生する。糸はしばしば十分に補助搬送装置２４の周りに巻回されているので、その糸端３４は補助搬送装置２４に固着されている。つまり、一方の糸端３４は補助搬送装置２４によって屑容器２８へと搬送され、廃棄することができる。他方の糸端３５は、搬送ベルト２上に垂れ下がり、そこで糸層２２によってしっかり保持される。
【００３６】
いずれにしても糸２１' は経糸長の始端と終端でのみ切断されなければならず、また糸２１' は経糸長、すなわち柄用経糸長の始端と終端でのみ整経過程から除外されるので、整経ドラム１の内部で糸２１' を切断することは問題なく可能である。
【産業上の利用可能性】
【００３７】
本発明は、柄用等の経糸を製造するための方法および柄経糸用部分整経機等に利用できる。
【図面の簡単な説明】
【００３８】
【図１】本発明の実施例にかかる柄経糸用の部分整経機の要部の概略の構成を概念的に表した図である。
【図２】図１に示す柄経糸用部分整経機の整経ドラムの横断面図である。
【図３】糸誘導装置を有する糸ガイドの１実施例を示す図である。
【符号の説明】
【００３９】
１・・・整経ドラム
２・・・搬送面装置
７・・・回転式クリール
２１，２１' ・・・糸
２４・・・補助搬送装置
【図１】
2004346477.tif 000003
【図２】
2004346477.tif 000004
【図３】
2004346477.tif 000005